(57)【要約】【課題】基板面内や基板間の厚さのバラツキを低減することができるとともに、製品性能や製造歩留を向上させる基板処理装置を提供する。【解決手段】液体または気体が送入される槽ＴＫと、槽ＴＫの内部に液体または気体を送り出す機構ＴＢ、Ａと、を備え、槽ＴＫに被処理基板１を配置し処理を行う基板処理装置であって、被処理基板１と機構ＴＢ、Ａとの間の被処理基板１近傍に、少なくとも一つの整流板ＰＬ１が配置された処理装置。【選択図】図２Ａ
2010040758.tif 000002
【特許請求の範囲】
【請求項１】
液体または気体が送入される槽と、
前記槽内に液体または気体を送り出す機構と、を備え、前記槽内に被処理基板を配置し処理を行う基板処理装置であって、
前記被処理基板と前記機構との間の前記被処理基板近傍に、少なくとも一つの整流板が配置された基板処理装置。
【請求項２】
前記機構は前記槽の底部から前記槽内に液体または気体を送り出すように配置され、
前記被処理基板はその処理面が前記槽の底面と略直交するように配置され、
前記整流板は、その主面が前記被処理基板の処理面と略平行な方向となるように配置された第１整流板を備える請求項１記載の基板処理装置。
【請求項３】
前記整流板は、その主面が前記被処理基板の処理面と略直交するように配置された第２整流板をさらに備える請求項２記載の基板処理装置。
【請求項４】
液体または気体を入れる槽と、
前記槽内に液体や空気を送り出す機構と、を備え、前記槽内に被処理基板を配置し処理を行う基板処理装置であって、
前記機構と対向しない前記被処理基板の端部近傍に、すくなくとも１つの整流板が配置された基板処理装置。
【請求項５】
前記整流板は略矩形状であって、
前記整流板の長手方向と略直交する方向において、前記整流板の寸法は、前記被処理基板の処理が不均一になる寸法の０．３倍以上である請求項１または請求項４記載の基板処理装置。
【請求項６】
前記被処理基板は、マトリクス状に配置された複数の第１電極を含む第１領域を有する第１基板と、
前記第１基板と対向して配置され、前記複数の第１電極と対向するように配置された第２電極を含む第２領域を有する第２基板と、を備えた請求項１乃至請求項５のいずれか１項記載の基板処理装置。
【発明の詳細な説明】
【技術分野】
【０００１】
本発明は、液晶表示装置や半導体、プリント基板など平面の基板を製造する工程における、液体や気体での洗浄、成膜、エッチング等を行う基板処理装置に関する。
【背景技術】
【０００２】
近年、電子機器の小型化および軽量化への要求が高まり、例えばプリント基板等の基板をより薄くすることが要求されている。
【０００３】
一方、液晶表示装置や半導体、プリント基板など、平面の基板を製造する工程において、処理の面内均一性を向上させることは、製品性能向上や歩留まり向上の為に常に必要とされている。面内均一性は、基板の大きさに比べて処理槽の大きさが十分大きければ一般的に均一性は向上する。
【０００４】
例えば、液晶表示装置の製造に際しては、効率化のために、まず、一対の絶縁性基板として多面取り用の大板を用い、これら一対の絶縁性基板間に複数の表示素子を形成する。この後、軽量化等のために機械研磨もしくはケミカル研磨のいずれかによって絶縁性基板を所望の基板厚さまで研磨している。
【０００５】
従来、一対の基板の夫々を異なる温度履歴で作製し、これらの基板を貼りあわせて夫々の主面を化学的な処理で同時に薄くして、製造歩留まりを向上させる液晶表示装置の製造方法が提案されている（特許文献１参照）。
【特許文献１】特開２００７−５２３６７号公報
【発明の開示】
【発明が解決しようとする課題】
【０００６】
近年、液晶表示装置のガラス基板の大型化や半導体でのシリコンウェハーの大型化等に伴い、処理槽を大きくしたり、処理槽内で基板を揺動したりすると処理装置が大掛かりになってしまい、基板面内や基板間での処理バラツキを小さくすることは益々困難になってきている。
【０００７】
また、液体や気体（以下液体等と記載）によってエッチングや成膜、洗浄を行う場合、噴出された液体等があたる部分の基板の処理が多く進むことによって、面内厚さが不均一になってしまうことがあった。
【０００８】
例えば、ガラス基板をケミカル研磨し、ガラス板の板厚を薄くする工程では、ガラス基板をカセットに入れて、処理槽内の研磨液の中に浸漬し、処理槽底部に配置されたパイプから空気を送り出して、研磨液を撹拌する。上記のように、ガラス基板を研磨すると、パイプから送出された空気があたる部分、すなわち、処理槽底部に位置するガラス基板の一部の板厚が薄くなり製品性能の低下を招いたり、ガラス基板の端部を製品製造のために用いることができないために製造歩留まりの低下を招く場合があった。
【０００９】
特に、集積回路が配置される部分の厚さが不均一となった場合、基板上に配置された集積回路の実装不良が発生し、製造歩留まりが低下することがあった。また、液晶表示装置の製造工程において、一対の基板のそれぞれの厚さが不均一となった場合には、一対の基板から液晶表示パネルを切り出し、液晶表示パネルをフレーム等に納める際に部品との位置合わせが困難になることがあった。
【００１０】
本発明は、上記の事情に鑑みて成されたものであって、基板面内や基板間の厚さのバラツキを低減することができるとともに、製品性能や製造歩留を向上させる基板処理装置を提供することを目的とする。
【課題を解決するための手段】
【００１１】
本発明の第一態様による基板処理装置は、液体または気体が送入される槽と、前記槽の内部に液体または気体を送り出す機構と、を備え、前記槽に被処理基板を配置し処理を行う基板処理装置であって、前記被処理基板と前記機構との間の前記被処理基板近傍に、少なくとも一つの整流板が配置されている。
【００１２】
本発明の第二態様による基板処理装置は、液体または気体を入れる槽と、前記槽の内部に液体や空気を送り出す機構と、を備え、前記槽に被処理基板を配置し処理を行う基板処理装置であって、前記機構と対向しない前記被処理基板の端部近傍に、すくなくとも１つの整流板が配置されている。
【発明の効果】
【００１３】
この発明によれば、基板面内や基板間の厚さのバラツキを低減することができるとともに、製品性能や製造歩留を向上させる基板処理装置を提供することができる。
【発明を実施するための最良の形態】
【００１４】
以下、本発明の第１実施形態に係る基板処理装置について、図面を参照して説明する。本実施形態に係る基板処理装置は、被処理体としての液晶表示装置の透明絶縁性基板を液体や気体での洗浄、成膜、エッチング（研磨）等する際に用いられる基板処理装置である。
【００１５】
本実施形態に係る基板処理装置の被処理基板１は、対向するように配置された一対の略矩形状の透明絶縁性基板を有している。図１に示すように、一対の基板は第1基板１０１Ｍと、第1基板１０１Ｍに対向して配置された第２基板１０２Ｍとを有している。第１基板１０１Ｍおよび第２基板１０２Ｍは、透明ガラス基板である。
【００１６】
第1基板１０１Ｍは、マトリクス状に配置された複数の画素電極（図示せず）と、画素電極の近傍に配置されたスイッチング素子とを含む第1表示領域１１０Ａと、複数の画素電極を駆動するために第１表示領域１１０Ａの周囲に延びて配置された駆動配線等の各種配線（図示せず）とを有している。第2基板１０２Ｍは、複数の画素電極に対向する対向電極を含む第2表示領域１１０Ｂを有している。
【００１７】
第１基板１０１Ｍと第２基板１０２Ｍとは、第１表示領域１１０Ａと、第２表示領域１１０Ｂとが対向するように位置合わせされ、第１基板１０１Ｍおよび第２基板１０２Ｍの間において第1表示領域１１０Ａおよび第2表示領域１１０Ｂを囲むように配置されたシール材（図示せず）によって固定されている。シール材は、後に液晶材料を封入するための封入口（図示せず）を有している。
【００１８】
本実施形態に係る基板処理装置は、液体または気体を入れる処理槽ＴＫと、処理槽ＴＫの内部に液体や空気を送り出す送出機構と、を備える。図２に示す基板処理装置では、処理槽ＴＫは、例えば被処理体を研磨するための研磨液ＬＱで満たされている。本実施形態に係る基板処理装置では、研磨液ＬＱとしてフッ酸を含む溶液を使用する。なお、研磨液ＬＱは、その液面が処理槽ＴＫの上端より下回る量であってもよく、研磨液ＬＱがオーバーフローするように順次送入され、また循環するようにしてもよい。
【００１９】
被処理体として上記の被処理基板１を研磨処理する際には、被処理基板１は、カセット等（図示せず）に並べて配置され処理槽ＴＫ内の研磨液中に浸漬される。被処理基板１は、その処理面（ＸＹ平面と略平行な面）が処理槽ＴＫの底面（ＺＸ平面と略平行な面）と略直交するとともに、互いにその処理面が触れないように間隔をおいて並べて配置される。
【００２０】
処理槽ＴＫの底には、処理槽ＴＫ内に液体または気体を送り出すための送出機構が配置されている。図２Ａ、および、図２Ｂに示すように、本実施形態に係る基板処理装置では、送出機構は、被処理基板１の処理面と略直交する方向（Ｚ方向）に延びる複数の管ＴＢと、処理槽ＴＫの外部から管ＴＢに液体または気体を送入する外部送入機構Ａとを有している。
【００２１】
管ＴＢは、例えば管ＴＢの軸方向（Ｚ方向）において所定の間隔をおいて配置された複数の送出口を有している。管ＴＢは上記のような送出口に限らず、例えば管ＴＢの軸方向（Ｚ方向）と略平行に延びる線状の送出口を有していてもよく、管ＴＢの軸方向に対して蛇行するように配置された複数の送出口を有していてもよい。
【００２２】
本実施形態に係る基板処理装置では、外部送入機構Ａから管ＴＢへ圧縮空気が送入され、管ＴＢの送出口から空気が処理槽ＴＫ内に送出される。第１管ＴＢａに送り込まれた空気は、第１管ＴＢａの表面に開けられた送出口から噴出し、気泡となって処理液ＬＱの中を上昇して行く。このことによって、処理槽ＴＫ内の研磨液ＬＱが撹拌される。
【００２３】
図２Ａおよび図２Ｂに示すように、基板処理装置の底面と被処理基板１との間には、略矩形平板状の複数の整流板ＰＬ１が配置されている。整流板ＰＬ１は、研磨液ＬＱに浸漬しても研磨され難い材料、例えば塩化ビニル樹脂で形成された略矩形状の平板である。
【００２４】
整流板ＰＬ１は、被処理基板１の近傍に配置されている。整流板ＰＬ１は、例えば被処理基板１が納められるカセット等に取り付けられていてもよく、処理槽ＴＫ内の所定の位置に固定部材によって固定されていても良い。
【００２５】
整流板ＰＬ１は、図２Ａおよび図２Ｂに示すように、その被処理基板１側の端部と被処理基板１との距離Ｄ１が、整流板ＰＬ１の基板処理装置の底面側の端部と管ＴＢの上端との距離Ｄ２よりも短くなるように配置されている。
【００２６】
整流板ＰＬ１は、図２Ａおよび図２Ｂに示すように、その主面（ＸＹ平面と略平行な面）は被処理基板１の処理面と略平行に延び、略矩形状の主面の長手方向（Ｘ方向）は、管ＴＢが延びる方向と略直交している。
【００２７】
整流板ＰＬ１の主面の長手方向（Ｘ方向）の長さは、被処理基板１の処理面のＸ方向の長さと略等しい。整流板ＰＬ１の主面の長手方向と略直交する方向（Ｙ方向）の長さは、整流板ＰＬ１を配置しない場合に被処理基板１の処理が不均一になる幅寸法の０．３倍以上であることが望ましい。
【００２８】
例えば、整流板ＰＬ１を配置しないで被処理基板１を研磨処理した場合に、被処理基板１の下端Ｅ１の所定の位置において、図５に示すように被処理基板１の板厚が不均一になることがある。図５に示す図は、横軸は、Ｙ方向における被処理基板１の下端Ｅ１からの距離Ｄ３であって、縦軸は、距離Ｄ３における被処理基板１の厚さ（Ｚ方向における幅）である。
【００２９】
図５に示す場合では、被処理基板１の下端Ｅ１からの距離が距離Ｄ３の領域において、板厚が所望の厚さよりも薄くなっている。すなわち、図５に示す場合では、整流板ＰＬ１の主面のＹ方向の長さは、被処理基板１の下端Ｅ１から距離Ｄ３の０．３倍以上とすることが望ましい。
【００３０】
なお、図２Ａおよび図２Ｂに示す場合では、１つの被処理基板１に対応して１つの整流板ＰＬ１が配置されているが、被処理基板１の数と整流板ＰＬ１の数とは異なっていてもよく、図２Ａでは被処理基板１と整流板ＰＬ１とは略同ピッチで配置されるように図示してあるが、被処理基板１と整流板ＰＬ１とは同ピッチで配置される必要はない。さらに、被処理基板１の主面と整流板ＰＬ１の主面とが略平行に並んで配置される必要はない。
【００３１】
上記のように、被処理基板１の近傍に整流板ＰＬ１を配置して、被処理基板１を研磨すると、管ＴＢから噴出された気体（または液体）によって生じた研磨液ＬＱの流れは、まず整流板ＰＬ１にあたって減速され、整流板ＰＬ１の主面に沿ってＹ方向へ流れるように誘導される。
【００３２】
その後、研磨液ＬＱには、整流板ＰＬ１および被処理基板１の処理面（ＸＹ平面と略平行な面）に沿って処理槽ＴＫの上部へとゆく流れＦＬが生じる。すなわち、被処理基板１の処理面近傍では、被処理基板１の処理面と略平行な上向きの研磨液ＬＱの流れＦＬが生じることとなる。
【００３３】
その結果、管ＴＢの送出口近傍においてのみ被処理基板１の研磨処理が進行することを防止することができ、被処理基板１を均一な厚さとなるように研磨することが可能となる。このことによって、液晶表示装置の製品性能や製造歩留を向上させることが可能である。
【００３４】
なお、被処置基板１が均一な厚さとなるとは、例えば、被処理基板１の、又は、第１基板１０１Ｍと第２基板１０２Ｍとのそれぞれの、最も厚い部分と、最も薄い部分とでの厚さ（Ｚ方向の幅）の差が所定の値以下となる場合である。本実施形態に係る基板処理装置では、被処理基板１の、最も厚い部分と、最も薄い部分とでの厚さ（Ｚ方向の幅）の差は略１．５μｍ以下である。
【００３５】
すなわち、本実施形態に係る基板処理装置によれば、基板面内や基板間の厚さのバラツキを低減することができるとともに、製品性能や製造歩留を向上させる基板処理装置を提供することができる。
【００３６】
次に、本発明の第２実施形態に係る基板処理装置について図面を参照して以下に説明する。なお、以下の説明において、上述の第１実施形態に係る基板処理装置と同様の構成については、同一の符号を付して説明を省略する。
【００３７】
本実施形態に係る基板処理装置は、上述の第１実施形態に係る基板処理装置と同様に、被処理体として被処理基板１を液体や気体での洗浄、成膜、エッチング等する際に用いられる基板処理装置である。
【００３８】
図３Ａおよび図３Ｂに示すように、被処理基板１は、カセット等に並べて配置され処理槽ＴＫ内の研磨液中に浸漬される。被処理基板１は、その処理面（ＸＹ平面と略平行な面）が処理槽ＴＫの底面（ＺＸ平面と略平行な面）と略直交するとともに、互いにその処理面が触れないように間隔をおいて並べて配置される。
【００３９】
基板処理装置の底面と被処理基板１との間には、略矩形平板状の複数の整流板ＰＬ１、および整流板ＰＬ２が配置されている。整流板ＰＬ１および整流板ＰＬ２は、被処理基板１の近傍に配置されている。整流板ＰＬ１、ＰＬ２は、例えば被処理基板１が納められるカセット等に取り付けられていてもよく、処理槽ＴＫ内の所定の位置に固定部材によって固定されていても良い。
【００４０】
すなわち、整流板ＰＬ１は、図３Ａおよび図３Ｂに示すように、その被処理基板１側の端部と被処理基板１との距離Ｄ４が、整流板ＰＬ１の基板処理装置の底面側の端部と管ＴＢの上端との距離Ｄ５よりも短くなるように配置されている。
【００４１】
同様に、整流板ＰＬ２は、その被処理基板１側の端部と被処理基板１との距離Ｄ４が、整流板ＰＬ２の基板処理装置の底面側の端部と管ＴＢの上端との距離Ｄ５よりも短くなるように配置されている。
【００４２】
整流板ＰＬ１は、図３Ａ、図３Ｂ、および図３Ｃに示すように、その主面（ＸＹ平面と略平行な面）は被処理基板１の処理面と略平行であって、略矩形状の主面の長手方向（Ｘ方向）は、管ＴＢが延びる方向と略直交している。整流板ＰＬ２は、その主面（ＺＸ平面と略平行な面）は被処理基板１の処理面と略直交し、略矩形状の主面の長手方向（Ｚ方向）は、管ＴＢが延びる方向と略平行である。
【００４３】
整流板ＰＬ１の長手方向（Ｘ方向）の長さは、被処理基板１のＸ方向の長さと略等しい。整流板ＰＬ１の長手方向に略直交する方向（Ｙ方向）の長さは、整流板ＰＬ１、ＰＬ２を配置しない場合に被処理基板１の処理が不均一になる幅寸法の０．３倍以上であることが望ましい。
【００４４】
整流板ＰＬ２の長手方向（Ｚ方向）の長さは、被処理基板１が並ぶ方向における、端に配置された基板の処理面同士の距離と略等しい。整流板ＰＬ２の長手方向に略直交する方向（Ｙ方向）の長さは、上述の第１実施形態に係る基板処理装置の場合と同様に、整流板ＰＬ１、ＰＬ２を配置しない場合に被処理基板１の処理が不均一になる幅寸法の０．３倍以上であることが望ましい。
【００４５】
上記のように、被処理基板１の近傍に整流板ＰＬ１、ＰＬ２を配置して、被処理基板１を研磨すると、管ＴＢから噴出された気体（または液体）によって生じた研磨液ＬＱの流れは、まず整流板ＰＬ１にあたって減速され、整流板ＰＬ１、ＰＬ２の主面（ＸＹ平面と略平行な面）に沿ってＹ方向へ流れるように誘導される。
【００４６】
その後、研磨液ＬＱには、整流板ＰＬ１、ＰＬ２および被処理基板１の処理面（ＸＹ平面と略平行な面）に沿って処理槽ＴＫの上部へとゆく流れＦＬが生じる。すなわち、被処理基板１の処理面近傍では、被処理基板１の処理面と略平行な上向きの、研磨液ＬＱの流れＦＬが生じることとなる。
【００４７】
その結果、管ＴＢの送出口近傍においてのみ被処理基板１の研磨処理が進行することを防止することができ、被処理基板１を均一な厚さとなるように研磨することが可能となる。このことによって、液晶表示装置の製品性能や製造歩留を向上させることが可能である。
【００４８】
すなわち、本実施形態に係る基板処理装置によれば、基板面内や基板間の厚さのバラツキを低減することができるとともに、製品性能や製造歩留を向上させる基板処理装置を提供することができる。
【００４９】
次に、本発明の第３実施形態に係る基板処理装置について図面を参照して以下に説明する。本実施形態に係る基板処理装置は、上述の第１実施形態に係る基板処理装置と同様に、被処理体として被処理基板１を液体や気体での洗浄、成膜、エッチング等する際に用いられる基板処理装置である。
【００５０】
図４Ａに示すように、本実施形態に係る基板処理装置は、被処理基板１の管ＴＢと対向しない端部Ｅ２の近傍に配置された整流板ＰＬ３を有している。本実施形態に係る基板処理装置では、整流板ＰＬ３は、被処理基板１が並ぶ方向（Ｚ方向）と略直交する方向（Ｘ方向）において、被処理基板１の両脇に並ぶように配置されている。整流板ＰＬ３は、例えば被処理基板１が納められるカセット等に取り付けられていてもよく、処理槽ＴＫ内の所定の位置に固定部材によって固定されていても良い。
【００５１】
整流板ＰＬ３は、図４Ａおよび図４Ｂに示すように、その被処理基板１の端部Ｅ２側の端部と被処理基板１との距離Ｄ６が、整流板ＰＬ３の処理槽ＴＫの側の端部と処理槽ＴＫの側面との距離Ｄ７よりも短くなるように配置されている。
【００５２】
整流板ＰＬ３の主面（ＸＹ平面と略平行な面）は被処理基板１の主面と略平行である。整流板ＰＬ３の主面の長手方向（Ｙ方向）は、管ＴＢの軸方向（Ｚ方向）と略直交している。整流板ＰＬ３の主面の長手方向（Ｙ方向）の長さは、被処理基板１の主面のＹ方向の長さよりも長い。
【００５３】
図４Ｂに示す場合において、整流板ＰＬ３の主面の長手方向と略直交する方向（Ｘ方向）の長さは、被処理基板１の処理が不均一になる寸法の０．３倍以上である。すなわち、例えば、整流板ＰＬ３を配置しないで被処理基板１の研磨処理を行った場合に、Ｘ方向において、被処理基板１の端部Ｅ２から所定の幅寸法の領域で、被処理基板１の厚さが所望の値よりも薄くなる場合がある。この場合に、整流板ＰＬ３の主面（ＸＹ平面と略平行な面）のＸ方向の長さは、被処理基板１の厚さが薄くなるＸ方向の幅寸法の０．３倍以上とすることが望ましい。
【００５４】
上記のように、被処理基板１の近傍に整流板ＰＬ１、ＰＬ２を配置して、被処理基板１を研磨すると、Ｘ方向における被処理基板１の端部近傍において、管ＴＢから噴出された気体（または液体）によって生じた研磨液ＬＱの流れは、まず整流板ＰＬ３にあたって減速され、整流板ＰＬ３の主面（ＸＹ平面と略平行な面）に沿ってＹ方向へ流れるように誘導される。
【００５５】
Ｘ方向における被処理基板１の両脇において、研磨液ＬＱの流れが整流板ＰＬ３の主面と略平行となるため、Ｘ方向における被処理基板１の端部Ｅ２近傍において研磨液ＬＱの流れＦＬが乱れずに均一な状態、すなわちＹ方向の流れＦＬとなる。
【００５６】
その結果、Ｘ方向における端部でのみ被処理基板１の研磨処理が進行することを防止することができ、被処理基板１を均一な厚さとなるように研磨することが可能となる。このことによって、液晶表示装置の製品性能や製造歩留を向上させることが可能である。
【００５７】
すなわち、本実施形態に係る基板処理装置によれば、上記の第１実施形態にかかる基板処理装置と同様に、基板面内や基板間の厚さのバラツキを低減することができるとともに、製品性能や製造歩留を向上させる基板処理装置を提供することができる。
【００５８】
なお、この発明は、上記実施形態そのままに限定されるものではなく、実施段階ではその要旨を逸脱しない範囲で構成要素を変形して具体化できる。上記の第１乃至第３実施形態に係る基板処理装置には複数の整流板ＰＬ１乃至ＰＬ３を有していたが、整流板を配置する位置は、被処理基板の厚さが薄くなりやすい部分の近傍に配置されればよい。その処理装置の処理特性に応じて、少なくとも１つの整流板ＰＬ１乃至ＰＬ３を配置することによって、上述の第１実施形態乃至第３実施形態に係る基板処理装置と同様の効果を得ることができる。
【００５９】
例えば整流板ＰＬ１は、例えば、管ＴＢの軸方向に沿って被処理基板のＸ方向の幅に渡って延びて配置されていたが、複数の送出口がある場合には、送出口の位置に対応する位置にのみ配置されていても良い。
【００６０】
また、上記の第１乃至第３実施形態では、基板処理装置を用いてケミカル研磨処理を行う場合について説明したが、被処理基板１の洗浄工程または成膜工程を行う基板処理装置についても適用可能である。その場合であっても、処理槽ＴＫ内に整流板ＰＬ１乃至ＰＬ３を適宜配置することによって、処理槽ＴＫ内に収容される洗浄液等の流れを被処理基板１の処理面に対して略平行な方向とすることができ、部分的に洗浄が不十分になったり、成膜した膜の厚さが不均一になったりすることを防止することができる。
【００６１】
以上の実施例では、液体による処理を行う基板処理装置での例を示したが、処理に用いられるのは気体であってもよい。その場合、処理槽の代わりに密閉性のある箱を用いてもかまわない。
【００６２】
また、管から噴出するものは気体とは限らず液体や液体と気体の混合でも良い。気体は空気である必要は無く、窒素ガスなどでも良い。液体は、洗剤の入った洗浄液や酸性またはアルカリ性のエッチング液などでも良い。
【００６３】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。例えば、第１実施形態に開示された整流板ＰＬ１と、第３実施形態に開示された整流板ＰＬ３とを備える基板処理装置であっても、上述の第１実施形態乃至第３実施形態に係る基板処理装置と同様の効果をえることができる。
【図面の簡単な説明】
【００６４】
【図１】本発明の一実施形態に係る基板処理装置で処理する被処理基板の構成の一例を概略的に示す図。
【図２Ａ】本発明の第１実施形態に係る基板処理装置の一構成例を説明するための図。
【図２Ｂ】本発明の第１実施形態に係る基板処理装置の一構成例を説明するための図。
【図３Ａ】本発明の第２実施形態に係る基板処理装置の一構成例を説明するための図。
【図３Ｂ】本発明の第２実施形態に係る基板処理装置の一構成例を説明するための図。
【図３Ｃ】本発明の第２実施形態に係る基板処理装置の整流板の一構成例を説明するための図。
【図４Ａ】本発明の第３実施形態に係る基板処理装置の一構成例を説明するための図。
【図４Ｂ】本発明の第３実施形態に係る基板処理装置の一構成例を説明するための図。
【図５】整流板を用いないで被処理基板を研磨処理した場合に、基板の厚さを測定した結果の一例を示す図。
【符号の説明】
【００６５】
ＴＫ…処理槽、ＬＱ…研磨液、ＴＢ…管、Ａ…外部送入機構、１…被処理基板（被処理体）、ＰＬ１、ＰＬ２、ＰＬ３…整流板
【図１】
2010040758.tif 000003
【図２Ａ】
2010040758.tif 000004
【図２Ｂ】
2010040758.tif 000005
【図３Ａ】
2010040758.tif 000006
【図３Ｂ】
2010040758.tif 000007
【図３Ｃ】
2010040758.tif 000008
【図４Ａ】
2010040758.tif 000009
【図４Ｂ】
2010040758.tif 000010
【図５】
2010040758.tif 000011